(57)【要約】【課題】停電時であっても継続して交流電源を供給可能、且つ、急速充電可能な非常用電源装置を提供する。【解決手段】非常用電源装置１は、電荷を蓄電可能な二次電池ユニットと、二次電池ユニットに接続され所定の交流電圧を出力するＤＣ／ＡＣ変換器と、二次電池ユニットに接続され二次電池ユニットを充電する複数のＡＣ／ＤＣ充電器と、前記複数のＡＣ／ＤＣ充電器と各々接続され、商用交流電源若しくは他の非常用電源装置２から二次電池ユニットへの充電を行うための複数の接続部を設けている。【選択図】図７
2019213275.tif 000002
【特許請求の範囲】
【請求項１】
電荷を蓄電可能な蓄電部と、
前記蓄電部に接続され所定の交流電圧を出力するＤＣ／ＡＣ変換器と、
前記蓄電部に接続され前記蓄電部を充電する複数のＡＣ／ＤＣ充電器と、
前記複数のＡＣ／ＤＣ充電器と各々接続され、商用交流電源若しくは他の非常用電源装置から前記蓄電部への充電を行うための複数の接続部を設けたこと
を特徴とする非常用電源装置。
【請求項２】
商用交流電源若しくは前記他の非常用電源装置から前記非常用電源装置への入力電力を調整する入力電力調整部を備えたことを特徴とする請求項１に記載の非常用電源装置。
【請求項３】
太陽電池パネルからの直流電流が入力されるソーラー入力部を少なくとも１つ備えたことを特徴とする請求項１又は２に記載の非常用電源装置。
【請求項４】
前記ＡＣ／ＤＣ充電器に入力される交流電圧を測定する測定部と、
前記測定部が電圧降下を検出したことを契機に、前記蓄電部より、継続して負荷に供給する電力を制御する瞬停切替部を備えたこと
を特徴とする請求項１〜３の何れかに記載の非常用電源装置。
【発明の詳細な説明】
【技術分野】
【０００１】
本発明は、非常用電源装置に関し、詳細には、商用交流電源の停電時に内蔵した蓄電部から電源を供給する非常用電源装置に関する。
【背景技術】
【０００２】
近年では、電灯やテレビジョン以外にもパーソナルコンピュータ等の電子機器やＣＰＵを内蔵し、電子制御される装置が増えている。これらの装置では、商用交流電源から電源が供給されるものが多い。一方、大地震、台風、落雷等の自然災害時や発電所から電力の送電システムの故障時には、商用交流電源が停電することがある。交流電源の供給を絶たれると、これらの装置が停止し、業務や日常生活に重大な影響を与える。また、夜間の場合には、電灯も点灯せず避難の重大な障害になる。
【０００３】
特許文献１には、持ち運び可能な可搬部と、可搬部を着脱可能に保持する充電部とを備えた非常用電源装置が記載されている。可搬部は、電荷を蓄電可能な蓄電部と、蓄電部に接続されたＤＣ／ＡＣ変換器とを備える。充電部は、商用交流電源から蓄電池を充電する直流電圧を生成するＡＣ／ＤＣ充電器を備える。この非常用電源装置では、商用交流電源から充電部を介して蓄電部が充電され、停電時には、自由に持ち運びができ、交流電源を供給することができる。しかしながら、この非常用電源装置では、自由な持ち運びを可能とするために、重量に影響する蓄電部の容量には限度があった。
【０００４】
上記特許文献１記載の非常用電源装置の問題点を解決するために、特許文献２には、基本ユニットと増設ユニットとを備えた大容量の非常用電源装置が記載されている。基本ユニットは第１のＡＣ／ＤＣ充電器と、第１のＡＣ／ＤＣ充電器に接続された第１の蓄電部と、第１の蓄電部に接続されたＤＣ／ＡＣ変換器とを備える。増設ユニットは、第２のＡＣ／ＤＣ充電器と、第２のＡＣ／ＤＣ充電器に接続された第２の蓄電部とを備える少なくとも１つの増設ユニットとを備える。基本ユニットと少なくとも１つの増設ユニットとが互いに機械的に連結されているとともに、少なくとも１つの第２の蓄電部が基本ユニットのＤＣ／ＡＣ変換器に電気的に接続されている。この非常用電源装置は、商用交流電源から第１若しくは第２のＡＣ／ＤＣ充電器を介して、第１若しくは第２の蓄電部が充電され、停電時には、ＤＣ／ＡＣ変換器により所定の交流電圧を出力することができる。
【先行技術文献】
【特許文献】
【０００５】
【特許文献１】特開２０１６−２２０５１７号公報
【特許文献２】実用新案登録第３１７０４０７号公報
【発明の概要】
【発明が解決しようとする課題】
【０００６】
しかし、特許文献２に記載の非常用電源装置では、１つの蓄電部は対になる１つのＡＣ／ＤＣ充電器により充電が行われる。従って、災害時等停電が長期にわたり、再充電が必要な場合において、蓄電部への充電が素早く行われないという問題点があった。
【０００７】
本発明の目的は、停電時であっても継続して交流電源を供給可能、且つ、急速充電可能な非常用電源装置を提供することである。
【課題を解決するための手段】
【０００８】
本発明の一実施形態の非常用電源装置は、電荷を蓄電可能な蓄電部と、前記蓄電部に接続され所定の交流電圧を出力するＤＣ／ＡＣ変換器と、前記蓄電部に接続され前記蓄電部を充電する複数のＡＣ／ＤＣ充電器と、前記複数のＡＣ／ＤＣ充電器と各々接続され、商用交流電源若しくは他の非常用電源装置から前記蓄電部への充電を行うための複数の接続部を設けたことを特徴とする。
【０００９】
この構成の非常用電源装置では、複数の他の非常用電源装置と電気的に接続することで、非常用電源装置による交流電源の供給時間をさらに長くすることができる。また、接続部を介して複数同時に商用交流電源若しくは他の非常用電源と電気的に接続されることで、蓄電部に急速充電することができる。
【００１０】
また、商用交流電源若しくは前記他の非常用電源装置から前記非常用電源装置への入力電力を調整する入力電力調整部を備えていてもよい。この場合には、非常用電源装置の容量と電力を提供する他の非常用電源装置の容量に差がある場合においても、他の非常用電源装置は定格出力を超えることがなくなる。従って、他の非常用電源装置は故障せず、蓄電部へ安定して給電することができる。
【００１１】
また、前記非常用電源装置は、太陽電池パネルからの直流電流が入力されるソーラー入力部を少なくとも１つ備えてもよい。この場合には、停電時でも、非常用電源装置に太陽電池パネルから直流電流を供給して充電することができる。従って、交流電源が供給されない場合でも、太陽電池パネルにより非常用電源装置の蓄電部を充電して繰り返し使用できる。
【００１２】
また、前記非常用電源装置は、前記ＡＣ／ＤＣ充電器に入力される交流電圧を測定する測定部と、前記測定部が電圧降下を検出したことを契機に、前記蓄電部より、継続して負荷に供給する電力を制御する瞬停切替部を備えてもよい。この場合には、非常用電源装置に停電補償を行いたい機器が接続されると、停電時において、非常用電源装置を無停電電源装置として使用することができる。
【図面の簡単な説明】
【００１３】
【図１】第１カバー１１Ａ及び第２カバー１１Ｂが閉じた状態の非常用電源装置１の正面図である。
【図２】第１カバー１１Ａ及び第２カバー１１Ｂが開いた状態の非常用電源装置１の正面図である。
【図３】非常用電源装置１の左側面図である。
【図４】非常用電源装置１の右側面図である。
【図５】図２に示す非常用電源装置１のＸ−Ｘ線に於ける矢視方向に於ける縦断面図である。
【図６】非常用電源装置１のブロック図である。
【図７】非常用電源装置１へ他の非常用電源装置２を接続して充電する状態を示す図である。
【発明を実施するための形態】
【００１４】
＜非常用電源装置１の構造＞
以下、本発明の一実施形態である非常用電源装置１について、図面を参照して説明する。初めに、図１〜図５を参照して、非常用電源装置１の構造を説明する。非常用電源装置１は、後述する二次電池ユニット５１（図５参照）及びインバータ５４（図５参照）等を備えている。図１〜図４に示すように、非常用電源装置１は４個のキャスター１７に支えられる箱形のケース１０からなる。ケース１０は、長方形の正面１１、長方形の左側面１２、長方形の右側面１３、長方形の背面１４、長方形の上面１５、及び長方形の底面１６の六面を備える。ケース１０は、鉄又はアルミニウム合金等の金属板、又は、合成樹脂の板材を備える。各キャスター１７はアジャスト機能を有してもよい。
【００１５】
ケース１０の正面１１の上部には内側に凹んだ第１収容部１１Ｃ、下部には内側に凹んだ第２収容部１１Ｄが設けられている。第１収容部１１Ｃの正面の内壁には、図２に示すように、正面左側より順に、電源スイッチ２０、状態表示モニタ２１、太陽電池パネル入力表示ランプ２２、直流ＵＳＢポート部４１、及び交流コンセント部４０が設けられている。電源スイッチ２０は、非常用電源装置１を起動・停止させる。状態表示モニタ２１には、二次電池ユニット５１の残量や充電・放電の状態が表示される。太陽電池パネル入力表示ランプ２２は、後述の太陽電池パネル入力ポート部３３Ａ、３３Ｂより充電している際に発光するＬＥＤランプが設けられている。第１収容部１１Ｃは、例えばＵＳＢケーブルなどの付属品が収容可能な空間を有してもよい。
【００１６】
第２収容部１１Ｄの内側には、図２に示すように、急速充電時入力ポート３２Ａ〜３２Ｄが設けられている。急速充電時入力ポート３２Ａ〜３２Ｄは、商用交流電源や、内部に二次電池ユニット及びＤＣ／ＡＣ変換器を含み把持して持ち運び可能な他の非常用電源装置２からの交流電源の入力部である。各急速充電時入力ポート３２Ａ〜３２Ｄは縦方向の仕切板１１Ｅにより仕切られている。本実施形態では、急速充電時入力ポート３２Ａ〜３２Ｄは計４箇所設けられているが、２つでも、３つでも良く、任意の複数箇所設けられていればよい。また、第２収容部１１Ｄは、例えば延長コード、折りたたみ式太陽電池パネル等の付属品が収容可能な空間を有してもよい。本実施形態では、急速充電時入力ポート３２Ａ〜３２Ｄの左右両端側にそれぞれ１箇所ずつ計２箇所の収容可能な空間１１Ｆを有している。また、縦方向の仕切板１１Ｅは設けなくてもよい。
【００１７】
図１及び図２に示すように、第１収容部１１Ｃ及び第２収容部１１Ｄには、それぞれ第１カバー１１Ａ及び第２カバー１１Ｂが設けられている。第１カバー１１Ａ及び第２カバー１１Ｂは、横長の長方形の板部材で、その上部の両端２箇所に取手を有し、ケース１０の左側面１２側から見て時計回りに開閉可能である。
【００１８】
図３及び図４に示すように、ケース１０の左側面１２には、下部より順に、交流入力ポート３１Ａ、太陽電池パネル入力ポート部３３Ａ、停電補償用コンセント部４２Ａ、長方形の換気口１８Ａ、及び可搬用取手１９Ａが設けられている。右側面１３にも同様に、下部より順に、交流入力ポート３１Ｂ、太陽電池パネル入力ポート部３３Ｂ、停電補償用コンセント部４２Ｂ、長方形の換気口１８Ｂ、可搬用取手１９Ｂが設けられている。交流入力ポート３１Ａ、３１Ｂは、商用交流電源や他の非常用電源装置２からの交流電源の入力部であり、設置場所にあわせて３１Ａ若しくは３１Ｂのいずれかを選択できる。太陽電池パネル入力ポート部３３Ａ、３３Ｂ、停電補償用コンセント部４２Ａ、４２Ｂの説明は後述する。換気口１８Ａ、１８Ｂには防湿・防虫フィルターが設けられ、湿気や害虫が非常用電源装置１の内部に入らずに、インバータ５４の熱が外部に排出される。
【００１９】
図５に示すように、非常用電源装置１の内部には、下部より上部に向けて順に、二次電池ユニット５１、逆電流防止用の大電力型ダイオード５２、ＡＣ／ＤＣ充電部５３、インバータ５４等が設けられている。二次電池ユニット５１内には、図示しない、リチウムイオン電池と充電制御回路が組み込まれている。ＡＣ／ＤＣ充電部５３には４つのＡＣ／ＤＣ充電器（後述の第１のＡＣ／ＤＣ充電器５３Ａ〜５３Ｄ）が設けられている。
【００２０】
＜電気的構成＞
次に、図６を参照して、非常用電源装置１の電気的構成を説明する。非常用電源装置１の内部には、電荷を貯める二次電池ユニット５１が設けられている。二次電池ユニット５１は、第１のＡＣ／ＤＣ充電器５３Ａ〜５３Ｄ、及びインバータ５４が接続される。
【００２１】
第１のＡＣ／ＤＣ充電器５３Ａ〜５３Ｄの入力側は、急速充電時入力ポート３２Ａ〜３２Ｄと各々接続される。第１のＡＣ／ＤＣ充電器５３Ａ〜５３Ｄの出力側と二次電池ユニット５１との間には、大電力型ダイオード５２及びサーキットプロテクタ（図示略）が接続される。大電力型ダイオード５２は、第１のＡＣ／ＤＣ充電器５３Ａ〜５３Ｄ同士で相互に電流を入出力することを防ぐ。サーキットプロテクタは、第１のＡＣ／ＤＣ充電器５３Ａ〜５３Ｄの過負荷や回路の短絡により過電流になった場合に遮断して、二次電池ユニット５１を保護する。
【００２２】
第１のＡＣ／ＤＣ充電器５３Ａ〜５３Ｄは、非常用電源装置１への入力電力を調整する第１の入力電力調整部６１Ａ〜６１Ｄがそれぞれ設けられ、入力電流を一定以下に制限する。例えば、第１の入力電力調整部６１Ａ〜６１Ｄは入力電流を１２アンペアの交流に制限している。
【００２３】
インバータ５４の入力側は、交流入力ポート３１Ａ、３１Ｂ、太陽電池パネル入力ポート部３３Ａ、３３Ｂと接続される。インバータ５４の出力側は、交流コンセント部４０、直流ＵＳＢポート部４１、停電補償用コンセント部４２Ａ、４２Ｂ、及び先述の通り二次電池ユニット５１と接続される。インバータ５４の出力側と二次電池ユニット５１との間には、インバータ５４の過負荷や回路の短絡により過電流になった場合に遮断するヒューズ６０が設けられている。
【００２４】
インバータ５４は、ＤＣ／ＡＣ変換器５４Ａとしての機能だけでなく、第２のＡＣ／ＤＣ充電器５４Ｂ、測定部５４Ｃ、瞬停切替部５４Ｄ、及びソーラー入力部５４Ｅとしての機能も有する。ＤＣ／ＡＣ変換器５４Ａは、二次電池ユニット５１より入力された直流電圧を交流電圧に変換して出力する。第２のＡＣ／ＤＣ充電器５４Ｂは、商用交流電源若しくは他の非常用電源装置２より入力された交流電圧を直流電圧に変換して出力する。測定部５４Ｃは、第２のＡＣ／ＤＣ充電器５４Ｂに入力される交流電圧を測定する。瞬停切替部５４Ｄ、測定部５４Ｃにより商用交流電源の電圧降下が検出されたことを契機に二次電池ユニット５１から継続して負荷に供給する電力を制御する。ソーラー入力部５４Ｅは、図示外である太陽電池パネルからの直流電流が入力される。
【００２５】
第２のＡＣ／ＤＣ充電器５４Ｂには、非常用電源装置１への入力電力を調整する第２の入力電力調整部６２が設けられ、入力電流を一定以下に制限する。例えば、第２の入力電力調整部６２は入力電流を６アンペアの交流に制限している。
【００２６】
＜非常用電源装置１の使用方法＞
商用交流電源を交流入力ポート３１Ａ（又は３１Ｂ）に接続した状態で電源スイッチ２０がＯＮにされると、インバータ５４が作動する。インバータ５４は、先述の通り、第２のＡＣ／ＤＣ充電器５４Ｂとしての機能を有するため、一例として、入力された１００Ｖの交流を１４Ｖの直流に変換して二次電池ユニット５１に出力する。これにより二次電池ユニット５１への充電が開始される。二次電池ユニット５１が満充電になると二次電池ユニット５１への充電は停止する。
【００２７】
先述の通り、太陽電池パネル入力ポート部３３Ａ、３３Ｂは、インバータ５４のソーラー入力部５４Ｅに接続されている。太陽電池パネル入力ポート部３３Ａ、３３Ｂは、各部に４つずつ設けられており、太陽電池パネルと１つでも、２つでも接続可能である。従って、停電により１００Ｖの交流電源が供給されない場合には、太陽電池パネルにより二次電池ユニット５１を充電することも可能である。また、１つの太陽電池パネルでは発電量が足りない場合には、最大８つまで太陽電池パネルを接続して、二次電池ユニット５１を充電することも可能である。
【００２８】
停電時等、交流電源が供給されていない状態で電源スイッチ２０がＯＮにされると、インバータ５４が作動する。インバータ５４は、二次電池ユニット５１から入力される直流を、一例として、１００Ｖの交流に変換して交流コンセント部４０、停電補償用コンセント部４２Ａ、４２Ｂ、及び直流ＵＳＢポート部４１に出力する。従って、交流コンセント部４０、又は停電補償用コンセント部４２Ａ、４２Ｂに蛍光灯、携帯電話・スマートフォンの充電器、ラジオ、パーソナルコンピュータ等のＡＣコードの端子を差し込んで利用することができる。また、直流ＵＳＢポート部４１には、ＡＣ／ＤＣ変換器（図示略）が設けられており、インバータ５４より入力される交流を例えば５Ｖの直流に変換して出力する。従って、直流ＵＳＢポート部４１に携帯電話・スマートフォンとの接続ケーブル等のＤＣコードの端子を差し込んで利用することができる。
【００２９】
非常用電源装置１には大容量高出力の二次電池ユニット５１が設けられており、例えば避難所のような大人数が集まる場所でも使用可能である。しかし、災害時等、停電が長期にわたり、商用交流電源が供給されない場合、二次電池ユニット５１に蓄えられた電気が全て使い切られることもある。このような場合、急速充電時入力ポート３２Ａ〜３２Ｄ、交流入力ポート３１Ａ（又は３１Ｂ）のいずれか１箇所に、把持して持ち運び可能な他の非常用電源装置２を接続する。この状態で電源スイッチ２０がＯＮにされると、第１のＡＣ／ＤＣ充電器５３Ａ〜５３Ｄ、若しくは第２のＡＣ／ＤＣ充電器５４Ｂが、一例として、他の非常用電源装置２より入力された１００Ｖの交流を１４Ｖの直流に変換して二次電池ユニット５１に出力する。
【００３０】
先述の通り、第１のＡＣ／ＤＣ充電器５３Ａ〜５３Ｄには第１の入力電力調整部６１Ａ〜６１Ｄが、第２のＡＣ／ＤＣ充電器５４Ｂには第２の入力電力調整部６２がそれぞれ設けられ、非常用電源装置１への入力電流を一定以下に制限する。これにより、非常用電源装置１の容量と、電力を提供する他の非常用電源装置２の容量とに差がある場合においても、他の非常用電源装置２は定格出力を超えることがなくなる。従って、他の非常用電源装置２はその内部にある二次電池ユニットの過放電やＤＣ／ＡＣ変換器の過負荷により故障せず、非常用電源装置１の二次電池ユニット５１へ安定して給電することができる。よって、商用交流電源が供給されない停電時においても、点在する他の非常用電源装置２を持ち寄り、急速充電時入力ポート３２Ａ〜３２Ｄ、交流入力ポート３１Ａ（又は３１Ｂ）に接続することで、非常用電源装置１の二次電池ユニット５１は充電可能である。
【００３１】
加えて、災害時に長期にわたり商用交流電源が供給されない場合、電力を供給する非常用電源装置１の充電時間は可能な限り短いこと（急速充電）が求められる。この場合、図７に示すように、急速充電時入力ポート３２Ａ〜３２Ｄ、交流入力ポート３１Ａ（又は３１Ｂ）の複数箇所に他の非常用電源装置２を接続する。急速充電時入力ポート３２Ａ〜３２Ｄは第１のＡＣ／ＤＣ充電器５３Ａ〜５３Ｄと各々接続され、交流入力ポート３１Ａ（又は３１Ｂ）は第２のＡＣ／ＤＣ充電器５４Ｂと接続されているため、非常用電源装置１の充電時間は、非常用電源装置１に接続された他の非常用電源装置２の台数が多いほど短くなる。一例として、図７では急速充電時入力ポート３２Ａ〜３２Ｄの４箇所で４台の他の非常用電源装置２との同時接続して急速充電を行っているが、同時接続台数は２台でも３台でもよく、本実施形態では急速充電時入力ポート３２Ａ〜３２Ｄの４箇所と交流入力ポート３１Ａ（又は３１Ｂ）の１箇所を合わせた最大５箇所で５台の他の非常用電源装置２との同時接続が可能である。さらに急速充電が必要な際は、合わせて太陽電池パネル入力ポート部３３Ａ及び３３Ｂに太陽電池パネルを最大８つ同時に接続することで、より素早く充電することができる。
【００３２】
また、急速充電時入力ポート３２Ａ〜３２Ｄは商用交流電源とも接続可能である。従って、停電していない平時においても、非常用電源装置１は、急速充電時入力ポート３２Ａ〜３２Ｄ、交流入力ポート３１Ａ（又は３１Ｂ）の中で複数箇所に商用交流電源を複数同時に接続されると、二次電池ユニット５１の急速充電が可能である。
【００３３】
インバータ５４は、先述の通り、瞬停切替部５４Ｄとしての機能も有する。商用交流電源を交流入力ポート３１Ａ（又は３１Ｂ）に、停電補償を行いたい機器のＡＣコードの端子を停電補償用コンセント部４２Ａ若しくは４２Ｂに接続した状態で電源スイッチ２０がＯＮにされる。停電となった際には、測定部５４Ｃがインバータ５４に入力される電圧の降下を検出し、瞬停切替部５４Ｄにより二次電池ユニット５１への充電から二次電池ユニット５１からの放電に切り替わり、停電補償を行いたい機器に電力を継続して供給する。従って、非常用電源装置１は無停電電源装置として働く。
【００３４】
以上説明したように、本実施の形態の非常用電源装置１によれば、複数のＡＣ／ＤＣ充電器５３Ａ〜５３Ｄ、５４Ｂを備え、前記複数のＡＣ／ＤＣ充電器５３Ａ〜５３Ｄ、５４Ｂと各々接続されており商用交流電源若しくは他の非常用電源装置２と接続可能な接続部（交流入力ポート３１Ａ（又は３１Ｂ）、急速充電時入力ポート３２Ａ〜３２Ｄ）を複数設けることで、商用交流電源若しくは他の非常用電源装置２を複数同時に接続して非常用電源装置１の急速充電が可能である。
【００３５】
また、第１の入力電力調整部６１Ａ〜６１Ｄ、第２の入力電力調整部６２により非常用電源装置１への入力電流を調整することで、接続された他の非常用電源装置２が故障することなくなる。従って、他の非常用電源装置２から出力された電源で非常用電源装置１の充電が可能となる。また、太陽電池パネルからの直流電流が入力されるソーラー入力部５４Ｅが設けられているので、停電時でも、非常用電源装置１に複数の太陽電池パネルから直流電源を供給して充電することができる。また、瞬停切替部５４Ｄを備えているので、停電時、測定部５４Ｃにより商用交流電源の電圧降下が検出されたことを契機に、停電補償を行いたい機器に電力を継続して供給する無停電電源装置として使用することができる。
【００３６】
二次電池ユニット５１が本発明の「蓄電部」の一例である。また、インバータ５４の一機能であるＤＣ／ＡＣ変換器５４Ａが本発明の「ＤＣ／ＡＣ変換器」の一例である。また、第１のＡＣ／ＤＣ充電器５３Ａ〜５３Ｄ及びインバータ５４の一機能である第２のＡＣ／ＤＣ充電器５４Ｂが「ＡＣ／ＤＣ充電器」の一例である。また、交流入力ポート３１Ａ（又は３１Ｂ）、急速充電時入力ポート３２Ａ〜３２Ｄが「接続部」の一例である。また、第１の入力電力調整部６１Ａ〜６１Ｄ及び第２の入力電力調整部６２が、本発明の「入力電力調整部」の一例、ソーラー入力部５４Ｅが、本発明の「ソーラー入力部」の一例、測定部５４Ｃが本発明の「測定部」の一例、そして瞬停切替部５４Ｄが本発明の「瞬停切替部」の一例である。
【００３７】
尚、本発明は、上記実施の形態に限られず、各種の変形が可能である。例えば、上記実施の形態では、直流ＵＳＢポート部４１を設けているが、シガーソケットにしてもよいし、必ずしも設けなくてもよい。内蔵される二次電池ユニット５１のリチウムイオン電池の数は、１個に限られず、２個、４個等の複数個内蔵してもよい。また、二次電池ユニット５１は、リチウムイオン電池に限られず、ニッケル水素電池、鉛蓄電池、電気二重層コンデンサ等のキャパシタでもよい。また、インバータ５４からの出力は、交流１００Ｖに限られず、１１５Ｖ，１２０Ｖ、２００Ｖ，２４０Ｖ等の使用国の電圧に合わせればよい。また、交流の周波数も６０Ｈｚ、５０Ｈｚ等使用国の周波数に合わせればよい。
【００３８】
また、非常用電源装置１の形状は、上記実施の形態に限られない。また、非常用電源装置１の電源スイッチ２０、状態表示モニタ２１、太陽電池パネル入力表示ランプ２２、商用交流電源出力用の交流コンセント部４０、直流ＵＳＢポート部４１は、第１収容部１１Ｃの内側ではなく、正面１１、左側面１２、右側面１３、背面１４、及び上面１５の外側に設けてもよい。また、状態表示モニタ２１は、必ずしも設けなくてもよい。急速充電時入力ポート３２Ａ〜３２Ｄについても第２収容部１１Ｄの内側ではなく、正面１１、側面１２、１３、背面１４や上面１５の外側に設けてもよい。
【００３９】
また、上記実施の形態では、太陽電池パネル入力ポート部３３Ａ、３３Ｂはそれぞれ４つずつで計８つの太陽電池パネルと接続可能であるが、８つに限らず、各ポートに任意の数の太陽電池パネルと接続可能でよい。また、ケース１０の左側面１２、右側面１３にそれぞれ設けられた商用交流電源の交流入力ポート３１Ａ、３１Ｂ、太陽電池パネル入力ポート部３３Ａ、３３Ｂ、停電補償用コンセント部４２Ａ、４２Ｂは、いずれも側面１２、１３の片面のみに設けてもよいし、正面１１、背面１４、及び上面１５に設けてもよい。
【符号の説明】
【００４０】
１        非常用電源装置
２        他の非常用電源装置
３１Ａ    交流入力ポート
３１Ｂ    交流入力ポート
３２Ａ    急速充電時入力ポート
３２Ｂ    急速充電時入力ポート
３２Ｃ    急速充電時入力ポート
３２Ｄ    急速充電時入力ポート
５１      二次電池ユニット
５３      ＡＣ／ＤＣ充電器
５３Ａ    第１のＡＣ／ＤＣ充電器
５３Ｂ    第１のＡＣ／ＤＣ充電器
５３Ｃ    第１のＡＣ／ＤＣ充電器
５３Ｄ    第１のＡＣ／ＤＣ充電器
５４      インバータ
５４Ａ    ＤＣ／ＡＣ変換器
５４Ｂ    第２のＡＣ／ＤＣ充電器
５４Ｃ    測定部
５４Ｄ    瞬停切替部
５４Ｅ    ソーラー入力部
６１Ａ    第１の入力電力調整部
６１Ｂ    第１の入力電力調整部
６１Ｃ    第１の入力電力調整部
６１Ｄ    第１の入力電力調整部
６２      第２の入力電力調整部
【図１】
2019213275.tif 000003
【図２】
2019213275.tif 000004
【図３】
2019213275.tif 000005
【図４】
2019213275.tif 000006
【図５】
2019213275.tif 000007
【図６】
2019213275.tif 000008
【図７】
2019213275.tif 000009